(57)【要約】      （修正有）【課題】止水性の向上と軽量化を図り得る浸水防止装置を提供する。【解決手段】浸水防止装置は、硬質樹脂製の第１パネル２と、第１パネル２と摺動可能に設けられた硬質樹脂製の第２パネル３と、第１パネル２と第２パネル３との重なり部分を挟み、両方から互いに引き合うことにより第１パネル２と第２パネル３との摺動面を圧接させて水密にするための磁気吸引手段１０と、を備える。第１パネル２及び第２パネル３を硬質樹脂製とし、磁気吸着手段１０により両パネルの摺動部を圧接させて水密にすることにより、止水性の向上と軽量化を図ることができる。【選択図】図３
0003232689.tif 000002
【実用新案登録請求の範囲】
【請求項１】
硬質樹脂製の第１パネルと、
前記第１パネルと摺動可能に設けられた硬質樹脂製の第２パネルと、
前記第１パネルと前記第２パネルとの重なり部分を挟み、両方から互いに引き合うことにより前記第１パネルと前記第２パネルとの摺動面を圧接させて水密にするための磁気吸引手段と、
を備える浸水防止装置。
【請求項２】
前記磁気吸引手段は、前記第１パネルと前記第２パネルとの重なり部分の一方側に配置される第１磁石と、前記第１パネルと前記第２パネルとの重なり部分の他方側に配置されて前記第１磁石と吸引し合う第２磁石と、を含む請求項１に記載の浸水防止装置。
【請求項３】
前記磁気吸引手段は、前記第１パネルと前記第２パネルとの重なり部分の一方側に配置される第１磁石と、前記第１パネルと前記第２パネルとの重なり部分の他方側に配置されて前記第１磁石と吸引し合う金属製の被吸引部材と、を含む請求項１に記載の浸水防止装置。
【請求項４】
前記被吸引部材は、前記第１パネルに取り付けられた補強部材である、請求項３に記載の浸水防止装置。
【請求項５】
前記補強部材は、前記第１パネルの上辺部及び下辺部に沿って延びる形鋼である、請求項４に記載の浸水防止装置。
【請求項６】
前記第２パネルの底面にフランジ状板が突設され、
前記フランジ状板に貼着されたシール用ガスケットと、前記第１パネルの底面に貼着されたシール用ガスケットとを更に備え、
前記フランジ状板に貼着されたシール用ガスケットと前記第１パネルの底面に貼着されたシール用ガスケットとは、前記第１パネルと前記第２パネルとの摺動面を圧接させた時に、互いに圧接するように並列状に貼着されている、請求項１〜５の何れかに記載の浸水防止装置。
【請求項７】
前記第１パネルはネジ式クランプを備え、
前記ネジ式クランプは、前記第１パネルに固定されたナット体と、前記ナット体に螺入された雄ネジ部と、前記雄ネジ部の後端部に固定されたハンドル部と、前記雄ネジ部の前端部に回動可能に取り付けられて前記第２パネルに当接する当接部と、を備える請求項１〜６の何れかに記載の浸水防止装置。
【請求項８】
前記第１パネルに連結される第３パネルを更に備え、
前記第３パネルの側板と前記第１パネルとの側板とが、止水用ガスケットを介して緊締手段により連結されている、請求項１〜７の何れかに記載の浸水防止装置。
【考案の詳細な説明】
【技術分野】
【０００１】
本考案は、建物、駐車場、地下街、地下鉄等の入口への浸水を防止するための浸水防止装置に関する。
【背景技術】
【０００２】
従来、この種の浸水防止装置として、複数の止水板をスライド自在に組み合わせた浸水防止装置が知られている（特許文献１〜４）。
【０００３】
これらの浸水防止装置は、間口寸法に合わせて設置できる等のメリットがある。
【先行技術文献】
【特許文献】
【０００４】
【特許文献１】特開２００７−１９７９５３号公報
【特許文献２】特開２０１０−１６３７４１号公報
【特許文献３】特開２０１７−１９０５９９号公報
【特許文献４】実用新案登録第３２２７４０６号公報
【考案の概要】
【考案が解決しようとする課題】
【０００５】
しかしながら、スライド式の止水板は、隣り合う止水板同士の摺動面からの漏水の問題がある。特に止水板が樹脂製の場合は、水圧による変形によって漏水のおそれがある。止水板を金属製とすることにより、水圧による止水板の変形を小さくし、漏水を低減することが考えられるが、重量が過大となり、持ち運びに支障を来す。
【０００６】
そこで、本考案は、止水性の向上と軽量化を図り得る浸水防止装置を提供することを主たる目的とする。
【課題を解決するための手段】
【０００７】
上記目的を達成するため、本考案に係る浸水防止装置は、硬質樹脂製の第１パネルと、前記第１パネルと摺動可能に設けられた硬質樹脂製の第２パネルと、前記第１パネルと前記第２パネルとの重なり部分を挟み、両方から互いに引き合うことにより前記第１パネルと前記第２パネルとの摺動面を圧接させて水密にするための磁気吸引手段と、を備える。
【０００８】
本考案の一態様によれば、前記磁気吸引手段は、前記第１パネルと前記第２パネルとの重なり部分の一方側に配置される第１磁石と、前記第１パネルと前記第２パネルとの重なり部分の他方側に配置されて前記第１磁石と吸引し合う第２磁石と、を含む。
【０００９】
本考案の他の一態様によれば、前記磁気吸引手段は、前記第１パネルと前記第２パネルとの重なり部分の一方側に配置される第１磁石と、前記第１パネルと前記第２パネルとの重なり部分の他方側に配置されて前記第１磁石と吸引し合う金属製の被吸引部材と、を含む。
【００１０】
本考案の他の一態様によれば、前記被吸引部材は、前記第１パネルに取り付けられた補強部材である。
【００１１】
本考案の他の一態様によれば、前記補強部材は、前記第１パネルの上辺部及び下辺部に沿って延びる形鋼である。
【００１２】
本考案の他の一態様によれば、前記第２パネルの底面にフランジ状板が突設され、前記フランジ状板に貼着されたシール用ガスケットと、前記第１パネルの底面に貼着されたシール用ガスケットとを更に備え、前記フランジ状板に貼着されたシール用ガスケットと前記第１パネルの底面に貼着されたシール用ガスケットとは、前記第１パネルと前記第２パネルとの摺動面を圧接させた時に、互いに圧接するように並列状に貼着されている。
【００１３】
本考案の他の一態様によれば、前記第１パネルはネジ式クランプを備え、前記ネジ式クランプは、前記第１パネルに固定されたナットと、前記ナットに螺入された雄ネジ部と、前記雄ネジ部の後端部に固定されたハンドル部と、前記雄ネジ部の前端部に回動可能に取り付けられて前記第２パネルに当接する当接部と、を備える。
【００１４】
本考案の他の一態様によれば、前記第１パネルに連結される第３パネルを更に備え、前記第３パネルの側板と前記第１パネルとの側板とが、ガスケットを介して緊締手段により連結されている。
【考案の効果】
【００１５】
本考案によれば、前記第１パネル及び前記第２パネルを硬質樹脂製とし、磁気吸着手段により両パネルの摺動部を圧接させて水密にすることにより、止水性の向上と軽量化を図ることができる。
【００１６】
また、前記第１パネルに金属製の補強部材を設けることで、水圧による第１パネルの変形を減少させ、止水性を更に向上させることができる。
【００１７】
また、前記磁気吸引手段として、金属製の補強部材と磁石とを用いて第１パネルと第２パネルとの摺動面を圧接させることにより、軽量化を大きく損ねないようにしつつ強度向上による止水性向上を図るとともに、磁石を一つにしてコスト削減を図ることができる。
【図面の簡単な説明】
【００１８】
【図１】本考案に係る浸水防止装置の第１実施形態を示す斜視図である。
【図２】図１の浸水防止装置の要部拡大斜視図である。
【図３】図１の浸水防止装置の要部拡大横断平面図である。
【図４】図１の浸水防止装置を底面側から見た要部拡大斜視図である。
【図５】図１の浸水防止装置の要部拡大縦断正面図である。
【図６】図５のＶ−Ｖ視縦断側面図である。
【図７】図１の浸水防止装置の要部拡大斜視図である。
【図８】図１の浸水防止装置の要部拡大正面図である。
【図９】図１の浸水防止装置の要部拡大分解斜視図である。
【図１０】本考案に係る浸水防止装置の他の実施形態を示す要部拡大横断平面図である。
【図１１】本考案に係る浸水防止装置の他の実施形態を示す要部拡大横断平面図である。
【考案を実施するための形態】
【００１９】
本考案に係る浸水防止装置の実施形態について、以下に図１〜図１１を参照しつつ説明する。
【００２０】
本考案に係る浸水防止装置の第１実施形態について、図１〜図９を参照して説明する。図１は、本考案に係る浸水防止装置の第１実施形態を示す斜視図である。図１に示すように、浸水防止装置１は、第１パネル２と、第１パネル２と摺動可能に設けられた第２パネル３と、を備えている。
【００２１】
また、図示例の浸水防止装置１は、更に、第３パネル４、第４パネル５を備えている。第３パネル４の両端に、第１パネル２と第４パネル５とが接続されている。
【００２２】
図２は、浸水防止装置１の要部拡大斜視図である。図３は、浸水防止装置１の要部拡大横断平面図である。図５は、浸水防止装置１の要部拡大縦断正面図である。図６は、浸水防止装置１の要部拡大縦断側面図である。
【００２３】
図２〜図６に示すように、図示例の第２パネル３は、第１パネル２の端部が摺動可能に嵌入されるエンドカバーの形態を有している。第１パネル２及び第２パネル３は、硬質樹脂で形成されている。硬質樹脂は、ポリ塩化ビニル（ＰＶＣ）、アクリル樹脂、ＡＳＡ樹脂、ＡＢＳ樹脂などが利用できるが、耐薬品性や耐水性に優れたポリ塩化ビニルが好適である。
【００２４】
第１パネル２は、その上辺部及び下辺部に、長さ方向に沿う溝状の収容部２ａを備えている。収容部２ａには、金属製の補強部材７が設けられている。補強部材７は、形鋼を用いることができ、圧入や接着等により、収容部２ａに固定されている。補強部材７は、第１パネル２の幅方向に沿って延設されている。補強部材７は、図示例では溝形鋼であるが、Ｈ形鋼等の他の形状の形鋼とすることもできる。補強部材７は、第１パネル２の上下の水平方向に限らず、例えば、縦方向（高さ方向）に設けることもできるし、上下の中間位置に水平方向に設けることもできる。図示例の補強部材７は、亜鉛メッキを施した鉄製の溝形鋼である。
【００２５】
第２パネル３は、背面板３ａと、側面板３ｂと、正面板３ｃとによって、水平断面形状が略コ字形状（図３参照）を有する。背面板３ａと正面板３ｃとの間に、第１パネル２の端部が摺動可能に嵌入されている。第１パネル２の側方端面に側板２ｂが備えられ、側板２ｂにネジ式クランプ８が設けられている。第２パネル３の正面板３ｃには、ネジ式クランプ８にアクセスするための切欠き部３ｃ１が形成されている。第２パネル３は、底面が開放状とされる一方、天板３ｄを備えている。
【００２６】
ネジ式クランプ８は、側板２ｂに固定されたナット体８ａと、ナット体８ａに螺入された雄ネジ部８ｂと、雄ネジ部８ｂの後端部に固定されたハンドル部８ｃと、雄ネジ部８ｂの前端部に回動可能に取り付けられた当接部８ｄと、を備えている。ネジ式クランプ８のハンドル部８ｃを操作し、雄ネジ部８ｂのナット体８ａへの螺入量を調整することにより、第１パネル２と第２パネル３との相対距離を調整する。それにより、設置対象の壁面Ｗに対する第２パネル３の押圧力を調整することができる。ナット体８ａは、第１パネル２の側板２ｂ以外の部位に固定されていてもよい。
【００２７】
第２パネル３は、背面板３ａの底縁部及び側縁部から垂直に突出するＬ字状のフランジ状板３ｅを備えている。図４に示すように、フランジ状板３ｅの外側の底面及び側面に、その長さ方向に沿って、シール用ガスケット９ａ、９ｂが貼着されている。シール用ガスケット９ａ、９ｂは、例えば、連泡タイプの合成ゴムスポンジによって構成することができる。シール用ガスケットは、浸水防止装置１の側面及び底面に亘って連続的に貼着されている。
【００２８】
また、第１パネル２の外側の底面に沿ってシール用ガスケット９ｃが貼着されている。図４に示すように、シール用ガスケット９ａとシール用ガスケット９ｃとは、背面板３ａと第１パネル２の摺動面を密接させた時に、互いに密接するように並列状に貼着されている。
【００２９】
第１パネル２の内側と第２パネル３の外側（背面板３ａの外側）とに磁気吸引手段１０が配置されている。第１実施形態の磁気吸引手段１０は、第１パネル２の内側に配置される第１磁石１０ａと、第２パネル３の外側に配置されて第１磁石１０ａと吸引し合う第２磁石１０ｂとを備えている。第１磁石１０ａと第２磁石１０ｂとは、互いに引き合うことにより、第１パネル２と第２パネル３との重なり部分を両側から挟み、両パネルの摺動面が圧接されて水密にされる。
【００３０】
磁気吸引手段１０によって第１パネル２と第２パネル３と密接することにより、シール用ガスケット９ａとシール用ガスケット９ｃとが互いに圧接されて、両ガスケット９ａ、９ｃ間の水密性が保たれる。
【００３１】
第１磁石１０ａ及び第２磁石１０ｂは、着脱可能に設けることができる。他の一態様において、第１磁石１０ａ及び第２磁石１０ｂの何れか一方を、第１パネル２に固定しておくこともできる。第１磁石１０ａ及び第２磁石１０ｂは、磁気吸引力の大きいネオジム磁石を用いることが好ましい。
【００３２】
図７、図８、図９を参照して、第３パネル４は、第１パネル２からネジ式クランプを外し、長さ方向の両端部にガイド板４ａを備える。第３パネル４は、設置される間口の幅寸法に適合するように、長さ寸法を適宜設定することができる。ガイド板４ａ、４ａは、外側と内側に対向して一対設けられており、第３パネル４の側方端面から側方へ突出するように構成されている。第３パネル４の側方端面には、側板４ｂが設けられている。一対のガイド板４ａ，４ａの間に第１パネル２の側方端部をスライド摺動させながら差込み、第１パネル２の側板２ｄと第３パネル４の側板４ｂと突合せ、両側板２ｄ、４ｂをボルト・ナット等の緊締手段１３によって連結固定する。
【００３３】
第３パネル４の側板４ｂには、予め止水用ガスケット１１が貼着されており、第１パネル２と第３パネル４との間の止水性を高める。止水用ガスケット１１は、側板４ｂの周囲を囲むように貼着することができる。第３パネル４は、浸水防止装置１が接地される間口寸法に応じて適宜長さ寸法とすることができ、複数の第３パネル４を連結することもできる。止水用ガスケット１１は、中空カマボコ形ガスケットを使用することができる。
【００３４】
第３パネル４の底面には、シール用ガスケット９ｄが長さ方向に亘って取り付けられている。第１パネル２と第３パネル４とを突き合わせて連結した時に、シール用ガスケット９ｃと９ｄとが突き合わされて水密状に圧接される。図示しないが、第４パネル５の底面にも止水用ガスケットが取り付けられている。第３パネル４と第４パネル５を連結した時に、第４パネル５の前記シール用ガスケットと第３パネル４のシール用ガスケット９ｄとが突き合わされて水密状に圧接される。第４パネル５は、側面（被設置場所の側壁に当接させる面）にも止水用ガスケット（図示せず。）が取り付けられる。
【００３５】
図１に示すように、浸水防止装置１は、パネル固定用アングル１２を備えることができる。図示例では、第１パネル２、第３パネル４、及び第４パネル５にパネル固定用アングル１２が取り付けられている。設置面がコンクリート面等の場合、パネル固定用アングル１２は、アンカーボルト等によって設置面に固定することができる。
【００３６】
上記構成の浸水防止装置１は、第３パネル４の両側に第１パネル２及び第４パネル５を連結し、第１パネル２に第２パネル３を嵌める。そして、被設置場所の地面に設置し、パネル固定用アングル１２をアンカーボルト等で地面に固定する。次いで、第２パネル３を摺動させて、設置場所の間口寸法に合うように調節する。その後、ネジ式クランプ８により、第２パネル３の壁面Ｗに対する押圧力を調節する。次いで、第１パネル２と第２パネル３との互いに重なり合う部分を外側から第１磁石１０ａと第２磁石１０ｂとで挟み、第１磁石１０ａと第２磁石１０ｂの磁気吸引力によって第１パネル２と第２パネル３との摺動面同士を圧接させることにより、第１パネル２と第２パネル３との間の隙間からの漏水が防がれる。また、第１〜第４パネル２〜５は、硬質樹脂で形成されているため、鉄製等のパネルに比べて運搬が容易である。また、金属製の補強部材７を第１、第３、第４パネル２、４、５に設けることにより、高水圧がかかった場合であっても第１パネル２の変形が抑制され、変形による前記摺動面からの漏水が防がれる。
【００３７】
上記第１実施形態において、第１磁石１０ａを省略することができる。その場合、第２磁石１０ｂは、金属製の補強部材７と吸引し合う位置に配置することにより、第１パネル２と第２パネル３との摺動面を圧接させて止水することができる。この場合、磁気吸引手段１０は、金属製の補強部材７と第２磁石１０ｂとにより構成される。金属製の補強部材７は、第１磁石１０ａと吸引し合う被吸引部材を構成する。斯かる被吸引部材は、鉄等の強磁性体材料で構成されることが好ましい。
【００３８】
他の実施形態において、上記第１実施形態の第２磁石１０ｂに代えて、図１０に示すように、第１磁石１０ａと引き合う金属製の被吸引部材１０ｃを、第２パネル３の外側に配置することもできる。この場合、磁気吸引手段１０は、第１磁石１０ａと被吸引部材１０ｃとによって構成される。
【００３９】
図１０の例とは逆に、上記第１実施形態の第１磁石１０ａに、代えて、図１１に示すように、第２磁石１０ｂと引き合う金属製の被吸引部材１０ｃを、第１パネル２の外側に配置することもできる。この場合、磁気吸引手段１０は、第２磁石１０ｂと被吸引部材１０ｃとによって構成される。
【００４０】
本考案は上記実施形態に限定されず、本考案の趣旨を逸脱しない範囲において変更が可能である。
【符号の説明】
【００４１】
１  浸水防止装置
２  第１パネル
３  第２パネル
７  補強部材
８  ネジ式クランプ
９ａ〜９ｄ  シール用ガスケット
１０  磁気吸引手段
１０ａ  第１磁石
１０ｂ  第２磁石
１０ｃ  被吸引部材
１１  止水用ガスケット
１３  緊締手段
【図１】
0003232689.tif 000003
【図２】
0003232689.tif 000004
【図３】
0003232689.tif 000005
【図４】
0003232689.tif 000006
【図５】
0003232689.tif 000007
【図６】
0003232689.tif 000008
【図７】
0003232689.tif 000009
【図８】
0003232689.tif 000010
【図９】
0003232689.tif 000011
【図１０】
0003232689.tif 000012
【図１１】
0003232689.tif 000013